(57)【特許請求の範囲】
【請求項１】
端末装置が、基地局により高層シグナル又はPDCCHシグナルを通じて送信された非周期SRSの時間領域配置パラメータを受信することと、
前記端末装置が、前記基地局により送信された非周期SRS活性化シグナルを受信した後、相応な時間領域資源を選択して前記基地局に非周期SRSを送信することと、を含み、
前記端末装置による前記基地局への前記非周期SRSの送信は、具体的には、
前記非周期SRSの時間領域配置パラメータに基づいて、所定のサブフレーム後の一つの時間領域資源配置周期内の全ての配置サブフレームで前記非周期SRSを送信すること、又は、
前記高層シグナル又はPDCCHシグナルで携帯した非周期SRS持続時間配置情報に基づいて、所定のサブフレーム後、一つ目の配置サブフレーム、又は一つの時間領域資源配置周期内の全ての配置サブフレーム、で前記非周期SRSを送信すること、
を含むことを特徴とする一種の非周期探知参考信号SRSの伝送方法。
【請求項２】
前記非周期SRSの時間領域配置パラメータが、具体的に、
非周期SRSの時間領域資源配置周期の配置情報、及び/又は、
非周期SRSのサブフレーム配置情報、
を含むことを特徴とする請求項1記載の方法。
【請求項３】
前記非周期SRSの時間領域資源配置周期の配置情報が、具体的に、
前記端末装置により予め設置した時間領域資源配置周期の配置情報を応用することを指示すること、又は、
前記端末装置により応用される時間領域資源配置周期の数値を指示する配置情報又は
サブフレーム配置情報と連合する配置情報、
を含むことを特徴とする請求項2記載の方法。
【請求項４】
前記非周期SRSのサブフレーム配置情報が、具体的に、
前記端末装置により応用されるサブフレーム資源の開始情報と持続長さ情報、又は、
一つ又は幾つかのサブフレームが前記端末装置の非周期SRS伝送に応用されるか否かを指示する情報、又は、
時間領域資源配置周期の配置情報と連合する配置情報、
を含むことを特徴とする請求項2記載の方法。
【請求項５】
基地局により高層シグナル又はPDCCHシグナルを通じて送信される非周期SRSの時間領域配置パラメータを受ける受信モジュールと、
前記受信モジュールが前記基地局により送信された非周期SRS活性化シグナルを受信した後、相応な時間領域資源を選択し前記基地局に非周期SRSを送信する送信モジュールと、を含み、
前記送信モジュールは、具体的には、
前記非周期SRSの時間領域配置パラメータに基づいて、所定のサブフレーム後の一つの時間領域資源配置周期内の全ての配置サブフレームで前記基地局に前記非周期SRSを送信すること、又は、
前記高層シグナル又はPDCCHシグナルで携帯した非周期SRS持続時間配置情報に基づいて、所定のサブフレーム後、一つ目の配置サブフレーム、又は一つの時間領域資源配置周期内の全ての配置サブフレームで前記基地局に前記非周期SRSを送信すること、
を含むことを特徴とする一種の端末装置。
【請求項６】
前記受信モジュールが受けた前記非周期SRSの時間領域配置パラメータは具体的に非周期SRSの時間領域資源配置、周期的な配置情報、及び/又は、非周期SRSのサブフレーム配置情報を含むことであるが、
その中では、前記非周期SRSの時間領域資源配置周期の配置情報が、具体的に、
前記端末装置により予め設置される時間領域資源配置周期の配置情報を応用することを指示すること、又は、
前記端末装置により応用される時間領域資源配置周期の数値を指示する配置情報、又は、
サブフレーム配置情報と連合する配置情報、
を含むことであるが、
前記非周期SRSのサブフレーム配置情報が、具体的に、
前記端末装置により応用されるサブフレーム資源の開始情報と持続長さを指示する情報、又は、
一つ又は幾つかのサブフレームが前記端末装置に応用され非周期SRS伝送を行うか否かを指示する情報、又は、
時間領域資源配置周期の配置情報と連合する配置情報、
を含むことを特徴とする請求項5記載の端末装置。
【請求項７】
基地局が、高層シグナル又はPDCCHシグナルを通じて端末装置に非周期SRSの時間領域配置パラメータを送信することと、
前記基地局が、前記端末装置に非周期SRS活性化シグナルを送信した後、前記端末装置により選択された時間領域資源で送信された非周期SRSを受信することと、を含み、
前記基地局による前記端末装置からの前記非周期SRSの受信は、具体的には、
前記非周期SRSの時間領域配置パラメータに基づいて、所定のサブフレーム後の一つの時間領域資源配置周期内の全ての配置サブフレームで送信された前記非周期SRSを受けること、又は、
前記高層シグナル又はPDCCHシグナルで携帯する非周期SRS持続時間配置情報に基づいて、所定のサブフレーム後、一つ目の配置サブフレームで送信された前記非周期SRS、又は一つの時間領域資源配置周期での全ての配置サブフレームで送信された前記非周期SRSを受けること、
を含むことを特徴とする一種の非周期SRSの伝送方法。
【請求項８】
前記非周期SRSの時間領域配置パラメータが、具体的に、
非周期SRSの時間領域資源配置周期の配置情報、及び/又は、
非周期SRSのサブフレーム配置情報、
を含むことを特徴とする請求項7記載の方法。
【請求項９】
前記非周期SRSの時間領域資源配置周期の配置情報が、具体的に、
前記端末装置により予め設置する時間領域資源配置周期の配置情報を応用することを指示すること、又は、
前記端末装置により応用される時間領域資源配置周期の数値を指示する配置情報、又は、
サブフレーム配置情報と連合する配置情報、
を含むことを特徴とする請求項8記載の方法。
【請求項１０】
前記非周期SRSのサブフレーム配置情報が、具体的に、
前記端末装置により応用されるサブフレーム資源の開始情報と持続長さ情報、又は、
一つ又は幾つかのサブフレームが前記端末装置の非周期SRS伝送に応用されるかどうかを指示する情報、又は、
時間領域資源配置周期の配置情報と連合する配置情報、
を含むことを特徴とする請求項8記載の方法。
【請求項１１】
高層シグナル又はPDCCHシグナルを通じて端末装置に非周期SRSの時間領域配置パラメータを送信することに応用される送信モジュールと、
前記送信モジュールが前記端末装置に非周期SRS活性化シグナルを送信した後、前記端末装置により選択された時間領域資源で送信される非周期SRSを受けることに応用される受信モジュールと、を含み、
前記受信モジュールは、具体的には、
前記端末装置により、前記非周期SRSの時間領域配置パラメータに基づいて、所定のサブフレーム後の一つの時間領域資源配置周期内の全ての配置サブフレームで送信された前記非周期SRSを受けること、又は、
前記端末装置により、前記高層シグナル又はPDCCHシグナルで携帯する非周期SRS持続時間配置情報に基づいて、所定のサブフレーム後、一つ目の配置サブフレームで送信された前記非周期SRS、又は一つの時間領域資源配置周期内の全ての配置サブフレームで送信された前記非周期SRSを受けること、
を含むことを特徴とする一種の基地局。
【請求項１２】
前記送信モジュールが前記高層シグナル又はPDCCHシグナルを通じて前記端末装置に送信する前記非周期SRSの時間領域配置パラメータは、具体的に、非周期SRSの時間領域資源配置周期の配置情報、及び/又は、非周期SRSのサブフレーム配置情報を含むことであるが、
その中で、前記非周期SRSの時間領域資源配置周期の配置情報が、具体的に、
前記端末装置により予め設置した時間領域資源配置周期を指示する配置情報を応用することを指示すること、又は、
前記端末装置により応用される時間領域資源配置周期の数値を指示する配置情報、又は、
サブフレーム配置情報と連合する配置情報、
を含み、
前記非周期SRSのサブフレーム配置情報が、具体的には、
前記端末装置により応用されるサブフレーム資源の開始情報と持続長さ情報、又は、
一つ又は幾つかのサブフレームが前記端末装置に応用され非周期SRS伝送を行うかどうかを指示する情報、又は、
時間領域資源配置周期の配置情報と連合する配置情報、
を含むことを特徴とする請求項11記載の基地局。
【発明の詳細な説明】
【技術分野】
【０００１】
本発明は、通信技術分野、特に一種の非周期SRSの伝送方法と設備に係る。
【背景技術】
【０００２】
従来システムにおいて、上り信号チャネルの探知はsounding（探知）信号を通じて完成される。端末装置で、SRS（Sounding Reference Symbol、探知参考信号）サブフレームの最後の記号でsounding信号を送信し、基地局は上り信号チャネル情報を取得でき、これで、上り伝送の資源スケジューリングと測定を実施する。これは、RI（Rank Indication、ランク指示）/PMI（Precoding Matrix Indicator、事前コーディングマトリックス標識）/CQI（Channel Quality Indication，信号チャネル品質指示）の測定等を含む。LTE（Long Term Evolution、長期進化）システムにおいて、SRSが周期的に送信され、即ち、伝送データが無くなるまで端末装置は一定の周期で持続的にsounding信号を送信できる。周期性SRSのパラメータ｛その中でSRSのCS（Cycle Shift、サイクリックシフト）、帯域幅、周波数ホッピングパラメータ、周期と送信サブフレーム位置等を含む｝は高層を通じて配置される。
【０００３】
スケジューリング周期が長く、スケジューリング効率が低いので、周期性SRSは常に多くの物理資源を占める。特に、LTE-A（Long Term Evolution Advanced、高級長期進化）システムにおいて、UE（User Equipment、ユーザ装置）はマルチアンテナSRSを同時に送信する必要があり、資源支出が一層大きくなる。SRS資源利用率を向上させ、SRS資源の支出を減少させ、LTE-Aシステムに非周期性SRS伝送を導入する。周期性SRSとは異なり、非周期SRSは基地局動態を動的活性化させるもので、一旦活性化後は、端末装置が一回のsounding信号だけ送信し、周期的に信号を送信しない。非周期soundingを通じて、基地局は、一層柔軟に必要な信号チャネル情報を取得でき、条件がを満たす場合、周期性SRS伝送を停止するか減少させることで、SRSの物理資源支出を減少させる。
【０００４】
周期SRSと非周期SRSは、団地専用SRSサブフレームで伝送されるので、非周期SRSの資源スケジューリングを行うことによって、十分な物理資源を提供し、周期SRSと資源衝突が発生しないよう保証することが解決すべき問題になる。また、端末装置は基地局のパラメータ配置と活性化シグナルを受けた後、柔軟な方式でSRS伝送を実施することもできる。従来技術は、PDCCH（Physical Downlink Control Channel、下り物理制御信号チャネル）にSRS専用DCI format（DCIフォーマット、DCI：Downlink Control Indicator、下り制御指示）を導入することによって、非周期SRS的パラメータを配置し、その他の上りformat（例えば、format0）と同じ長さを採用し、重複使用をすることで資源の動態配置を実現する。非周期SRSの周波数領域配置と時間領域サブフレーム配置はすべて当該DCIフォーマットに含まれる。端末装置は、基地局の制御シグナルを受けた後、制御シグナルにより指示する時間頻度資源で非周期SRS伝送を行う。その他の一種の方案は、1ビットのシグナルだけ使用して、UL grant（上りスケジューリング情報）、又はDL grant（下りスケジューリング情報）で非周期SRSを活性化し、時間領域と周波数領域伝送パラメータは高層シグナルに指示される。
【発明の概要】
【発明が解決しようとする課題】
【０００５】
本発明の実施形態を実現するプロセスで、申請者は、従来技術に少なくとも下記の問題があるのを発見した。
従来技術は、SRS専用のDCI formatの導入を通じて、非周期SRSを配置するので、PDCCHの資源支出が大きく増え、これと同時に、配置ビットが少ないので、一定のPDCCH資源が無駄になる可能性がある。活性化ユーザが多くなる場合、資源支出が非常に大きくなって、PDCCHが負担できなくなる。
【課題を解決するための手段】
【０００６】
本発明の実施形態は、一種の非周期SRSの伝送方法と装置を提供し、基地局は高層シグナル又はPDCCHシグナルで非周期SRSの時間領域配置パラメータを配置し、端末装置は、指示される時間領域資源で非周期SRS送信を行う。
【０００７】
前記目的を達成する為に、本発明の実施形態は、一種の非周期探知参考信号SRSの伝送方法を提供する。
端末装置が、基地局により高層シグナル又はPDCCHシグナルを通じて送信された非周期SRSの時間領域配置パラメータを受信することと、
前記端末装置が前記基地局により送信された非周期SRS活性化シグナルを受信した後、前記端末装置が前記非周期SRSの時間領域配置パラメータに基づいて、相応な時間領域資源を選択して前記基地局に非周期SRSを送信すること。
【０００８】
また、本発明の実施形態は一種の端末装置を提供する。
基地局により高層シグナル又はPDCCHシグナルを通じて送信される非周期SRSの時間領域配置パラメータを受信する受信モジュールと、
前記受信モジュールが、前記基地局により送信された非周期SRS活性化シグナルを受信した後、前記受信モジュールが受信した非周期SRSの時間領域配置パラメータに基づいて、相応な時間領域資源を選択して前記基地局に非周期SRSを送信する送信モジュール。
【０００９】
また、本発明の実施形態は一種の非周期SRSの伝送方法を提供する。
基地局が高層シグナル又はPDCCHシグナルを通じて端末装置に非周期SRSの時間領域配置パラメータを送信することと、
前記基地局が前記端末装置に非周期SRS活性化シグナルを送信すると、前記基地局が、前記端末装置により前記非周期SRSの時間領域配置パラメータで選択される時間領域資源により送信される非周期SRSを受信する。
【００１０】
また、本発明の実施形態は一種の基地局装置を提供する。
高層シグナル又はPDCCHシグナルを通じて端末装置に非周期SRSの時間領域配置パラメータを送信し、前記端末装置に非周期SRS活性化シグナルを送信する送信モジュールと、
前記送信モジュールが前記基地局装置に非周期SRS活性化シグナルを送信した後、前記端末装置により前記非周期SRSの時間領域配置パラメータに基づいて選択された時間領域資源により送信される非周期SRSを受信する受信モジュール。
【発明の効果】
【００１１】
従来技術と比べると、本発明の実施形態は少なくとも下記の優位性を持つ。
本発明の実施形態の技術方案の応用及び高層準静的配置非周期SRSの時間領域資源を通じて、シグナル支出を低減する一方で、端末装置の柔軟なSRS領域送信を許可し、端末装置が複数のサブフレームで非周期SRS信号を送信することが可能となり、sounding時間遅延が低く、探知帯域幅が大きくなる。また、端末装置が柔軟なタイミング方式を採用することが可能になり、スケジューリングに対する制限ははるかに小さくなる。
【図面の簡単な説明】
【００１２】
【図１】本発明の実施形態により提出される一種の非周期SRSの送信方法の端末装置側のフローを示すブロック図である。
【図２】本発明の実施形態により提出される一種の非周期SRSの伝送方法の基地局側のフローを示すブロック図である。
【図３】本発明の実施形態により提出される一種の具体応用場面の下での非周期SRSの送信方法を示すブロック図である。
【図４】本発明の実施形態により提出される一種の端末装置の構成を示す図である。
【図５】本発明の実施形態により提出される一種の基地局の構成を示す図である。
【発明を実施するための形態】
【００１３】
LTE-Aシステムは、マルチアンテナ送信を導入したので、周期性SRS（Sounding Reference Signal、探知参考信号）は、より多い物理資源を占用する。SRS資源利用率を向上し、SRS資源の支出を低減させる為に、LTE-Aに非周期的SRS伝送を導入して、動的スケジューリングを通じて一回のsoundingを活性化する。
どのように非周期SRSの時間領域資源スケジューリングを実施するのか、また、端末装置が基地局のシグナルを受けた後どのように非周期SRSを送信するのか、すべて解決すべき問題である。
【００１４】
本発明の実施形態は、一種の非周期SRSの伝送方法を提出し、基地局は高層シグナル又はPDCCHシグナルに基づいて非周期SRSの時間領域パラメータを配置し、端末装置は、配置によってSRS送信を行い、非周期SRSの時間領域資源スケジューリングと伝送を合理的且つ有効的に実施することができる。
従来技術に存在する問題を解決する為に、本発明の実施形態は、LTE システムと互換することを考慮して、一種の非周期SRSの伝送方法を提出する。
本発明の実施形態は、一種の非周期SRSの伝送方法を提出し、基地局が高層シグナル又はPDCCHシグナルを通じて端末装置に非周期SRSのパラメータ配置を通知し、端末装置がパラメータ配置によって柔軟な非周期SRS伝送を行うことを含む。
【００１５】
説明のプロセスで、それぞれUEと基地局側の実施から説明し、更に二者の協力実施についても説明する。但し、これは、二者が協力実施しなければいけないことを意味せず、実は、UEと基地局が別々に実施する場合にも、UE側と基地局側各自の存在する問題を解決する。ただ二者を合わせて使用する場合にはより良い技術効果が得られる。
【００１６】
図1は本発明の実施形態により提出される一種の非周期SRSの伝送方法のフローを示す図である。当該方法は、具体的に下記の手順を含む。
手順101、端末装置が、基地局により高層シグナル又はPDCCHシグナルに基づいて送信する非周期SRSの時間領域配置パラメータを受信する。
【００１７】
この中で、非周期SRS配置パラメータは具体的に下記の事項が含まれる。
（1）非周期SRSの時間領域資源配置周期の配置情報、具体的に、下記の三種の状況が含まれる。
状況１、不顕性指示情報、即ち、端末装置により予め設置される時間領域資源配置周期を応用することを指示する配置情報。
この状況で、端末装置と基地局で一つの共同の具体的な時間領域資源配置周期を設置する必要がある。これに基づいて、指示情報の内容デフォールト及び前記不顕性指示情報を表示するその他のパラメータ値で、端末装置に、当該時間領域資源配置周期を応用するよう通知する。
状況２、顕性指示情報、即ち、端末装置により応用される時間領域資源配置周期の数値を明確に指示する配置情報。
このような指示情報は相応な資源スペースを占用する必要があるので、端末装置が相応な資源スペースで相応な指示情報を取得するよう予め規定することもできる。
状況３、サブフレーム配置情報と連合する配置情報。
このような連合情報に明確な対応関係が存在し、端末装置の相応な配置情報の取得に便利である。
【００１８】
（2）非周期SRSのサブフレーム配置情報は、具体的に下記の三種の状況に分けられる。
状況１、連続指示、即ち、端末装置により応用されるサブフレーム資源の開始情報と持続長さを明確に指示する情報である。
このような指示を通じて、端末装置にどの範囲でのサブフレーム資源が自身に配置されるサブフレーム資源であるかを明確に了解することができる。
状況２、離散指示、即ち、一つ又は複数のサブフレームが端末装置として非周期SRS伝送を行うかどうか示す情報である。
これで、指定資源の中で、明確な指示情報を通じて、一つ又は複数のサブフレームが端末装置のサブフレーム資源に配置されるかを指示される。
状況３、時間領域資源配置周期の配置情報と連合する配置情報。
このような連合情報に明確な対応関係があり、端末装置の相応な配置情報の取得に便利である。
【００１９】
手順102、端末装置が、基地局により送信される非周期SRS活性化シグナルを受信した後、端末装置が非周期SRSの時間領域配置パラメータに基づいて、相応な時間領域資源を選択して基地局に非周期SRSを送信する。
【００２０】
具体的な実施において、伝送策略は下記の二種の状況に分けられる。
策略１、端末装置が基地局により送信される非周期SRS活性化シグナルを受信した後、非周期SRS配置パラメータに基づいて、直接若干のサブフレーム後の一つの時間領域資源配置周期内の全ての配置サブフレームで非周期SRSを送信する。
策略２、端末装置が基地局により送信される非周期SRS活性化シグナルを受けた後、高層シグナル又はPDCCHシグナルで携帯する非周期SRS持続時間配置情報に基づいて、若干のサブフレーム後、一番目の配置サブフレームで非周期SRSを送信するか、又は一つの時間領域資源配置周期内の全ての配置サブフレームで非周期SRSを送信するかを確定する。
【００２１】
前記処理フローは、本発明の実施形態により提出される一種の非周期SRSの伝送方法の端末装置側での処理フローで、それに対して、本発明の実施形態も基地局側での実施フローを提出する。
【００２２】
図2は本発明の実施形態により提出される一種の非周期SRS伝送方法の基地局側でのフローを示す図である、当該方法には具体的に下記の手順が含まれる。
手順201、基地局が高層シグナル又はPDCCHシグナルに基づいて端末装置に非周期SRSの時間領域配置パラメータを送信する。
その中で、非周期SRSの時間領域配置パラメータの内容について、前記手順101での説明を参照を乞う。ここで繰り返して説明しない。
手順202、基地局が端末装置に非周期SRS活性化シグナルを送信する場合、基地局が、端末装置により前記非周期SRSの時間領域配置パラメータに基づいて選択される時間領域資源によって送信する非周期SRSを受信する。
【００２３】
前記手順102での二種の伝送策略について、本手順の執行フローは具体的に下記事項を含む。
基地局が端末装置に非周期SRS活性化シグナルを送信した後、端末装置により、非周期SRS配置パラメータに基づいて、直接若干のサブフレーム後の一つの時間領域資源配置周期内の全ての配置サブフレームで送信する非周期SRSを受けること、又は、
基地局が端末装置に非周期SRS活性化シグナルを送信した後、端末装置により、高層シグナル又はPDCCHシグナルで携帯される非周期SRS持続時間配置情報に基づいて、若干のサブフレーム後、一番目の配置サブフレームで送信される非周期SRS、又は一つの時間領域資源配置周期内の全ての配置サブフレームで送信される非周期SRSを受信すること。
【００２４】
従来の技術と比べて、本発明の実施形態が少なくとも下記の優位性を持つことは前記の実施形態から分かる。
【００２５】
本発明の実施形態の技術方案の応用及び高層準静的配置非周期SRSの時間領域資源を通じて、シグナル支出を低減し、その一方、端末装置の柔軟な非周期SRS時間領域伝送を許可し、端末装置が複数のサブフレームで非周期SRSを送信でき、sounding時間遅延が低く、探知帯域幅が大きく、また、端末装置が柔軟なタイミング方式を採用することも可能になり、スケジューリングに対する制限もはるかに小さくなる。
【００２６】
次に、具体的な応用場面に結びついて、本発明の実施形態により提出される技術方案を説明する。
説明の便利の為に、次から主に端末装置側の実現フローを例として説明するが、基地局側に同じく相応な処理があっても、ここでは繰り返して説明しない。但し、このような説明は本発明の保護範囲に影響を与えない。
【００２７】
図3は本発明の実施形態により提出される一種の具体応用場面での非周期SRS伝送方法のフローを示す図である。当該方法は具体的に下記の手順を含む。
手順301、端末装置が、基地局により送信される高層シグナル又はPDCCHシグナル指示を受信して、非周期SRSの時間領域配置パラメータを得て、少なくとも下記の内容を含む。
【００２８】
（1）非周期SRSの時間領域資源配置周期の配置情報、三種の指示方式がある。
方式１、不顕性指示方式、設定した固定周期を非周期SRSの時間領域資源配置周期とする。
例えば、端末装置と基地局で、すべて10msを非周期SRSの時間領域資源配置周期とするよう設定する。
方式２、顕性指示方式、若干のビットで非周期SRS伝送に使用される時間領域資源の配置周期を独立に指示する。
例えば、高層シグナル又はPDCCHシグナルで1ビットに携帯される指示情報で非周期SRS伝送に使用される時間領域資源の配置周期が10msであるか又は20msであるかを示す。
方式３、周期SRSと類似する指示方式を採用し、サブフレーム配置と連合指示する。
【００２９】
次に、二つの具体的な実施形態を通じて下記の通り説明する。
【００３０】
実施形態１：  各ユーザには一つの非周期SRSサブフレームと二つの異なる時間領域周期の配置だけ許可する。具体的な配置指示は表1で示すとおりである。
【００３１】
【表１】
0005563155.tif 000002
【００３２】
実施形態２：  各ユーザには二つの非周期SRSサブフレームと一つの時間領域周期だけ許可する。具体的な配置指示は表2で示すようである。
【００３３】
【表２】
0005563155.tif 000003
【００３４】
（2）非周期SRSのサブフレーム配置情報には、三種の指示方式がある。
方式１、連続指示方式、サブフレーム資源の開始位置索引と持続長さ(即ち、持続的なサブフレーム数）を独立的に指示する。
例えば、高層シグナル又はPDCCHシグナルで、四つのビットで10個の可能な開始サブフレーム位置を指示してから、二つのビットで1-4という四つの可能な持続サブフレーム数を示す。
方式２、離散指示方式、bitmap（ビット写像、又はビット桁指示）の方式で各サブフレームが当該ユーザの非周期SRSの伝送に使用されるか示す。
例えば、高層シグナル又はPDCCHシグナルで、10個のビットでそれぞれ10個のサブフレームが当該ユーザの非周期SRSの伝送に使用されるか指示する。当該サブフレームが非周期SRS伝送に使用されると、相応なビットは1で、さもなければ0である。
例えば、1000001010が1つ目、7つ目と9つ目のサブフレームが非周期SRS伝送に応用できることを示す。
方式３、周期SRSと類似する指示方式を採用して、時間領域資源の配置周期と連合指示する。
具体的な例示は前記表1と表2の状況が類似するので、ここで繰り返さない。
【００３５】
ステップ302：端末装置は送信局からの非周期SRSアクティブシグナリングを受信した後、相応する時間資源で非周期SRS信号を送る。
具体的な応用場面で、本手順の処理に二種の方式がある。
方式１、端末装置が活性化シグナルを受信した後、若干のサブフレーム後の一つの時間領域配置周期時間内の全ての配置サブフレームで非周期SRS信号を送信する。
方式２、端末装置が、基地局により高層指示を通過される非周期SRS持続時間配置を受けた後、この配置によって、一つの配置サブフレームだけで非周期SRS信号を送信するか、又は若干のサブフレーム後の一つの時間領域で周期時間内の全ての配置サブフレームで全部非周期SRS信号配置を伝送するかを確定する。
【００３６】
更に指摘する必要があるのは、本発明の実施形態により提出される技術方案が広範な適用性を持ち、任意のアンテナ数とアンテナアレー（例えば、線形配列、分極配列）、任意の二重通信システム（TDD（Time Division Duplex、時間分布二重通信システム）又はFDD（Frequency Division Duplex、周波数分布二重通信）システム）及び任意の送信モード（例えば、SU-MIMO（Single Users-MIMO、単ユーザMIMO。MIMO：Multiple Input Multiple Output、マルチ入力マルチ出力）、MU-MIMO（MultipleUsers-MIMO、マルチユーザMIMO）、CoMP（Coordinated multi-point transmission/reception、協力マルチポイント送信と受信））での上り伝送に応用できることである。
【００３７】
同じ発明構想に基づいて、本発明の実施形態も一種の端末装置と基地局を提供し、これらの設備問題の解決原理が、非周期探知参考信号SRSの伝送方法及び非周期SRSの伝送方法と類似するので、これらの設備の実施について、方法の実施を参照でき、重複箇所について説明しない。
【００３８】
本発明の実施形態は、一種の端末装置を提供し、その構造の略図は図4で示す通りで、具体的に下記の構成部分を含む。
【００３９】
I、基地局により高層シグナル又はPDCCHシグナルを通じて送信される非周期SRSの時間領域配置パラメータを受信する受信モジュール41。
受信モジュール41により受信される非周期SRS配置パラメータには具体的に、非周期SRSの時間領域資源配置周期の配置情報と非周期SRSのサブフレーム配置情報を含む。
【００４０】
この中で、非周期SRSの時間領域資源配置周期の配置情報が、具体的に、
端末装置に予め設置される時間領域資源配置周期を応用することを指示する配置情報、又は、
端末装置により応用される時間領域資源配置周期の数値を指示する配置情報、又は、
サブフレーム配置情報と連合する配置情報。
【００４１】
非周期SRSのサブフレーム配置情報が、具体的に、
端末装置により応用されるサブフレーム資源の開始情報と持続長さ情報、又は、
一つ又は幾つかのサブフレームが端末装置の非周期SRS伝送に応用されるか示す情報、又は、
時間領域資源配置周期の配置情報と連合する配置情報。
【００４２】
II、受信モジュール41が前記基地局により送信される非周期SRS活性化シグナルを受信した後、前記受信モジュール41の受信する非周期SRSの時間領域配置パラメータに基づいて、相応な時間領域資源を選択して前記基地局に非周期SRSを送信する送信モジュール42。
具体的な応用場面の中で、当該モジュールの処理は、具体的に、
i、受信モジュール41が基地局により送信される非周期SRS活性化シグナルを受けた後、送信モジュール42が非周期SRS配置パラメータに基づいて、直接若干のサブフレーム後の一つの時間領域資源配置周期内の全ての配置サブフレームで非周期SRSを送信すること、又は、
ii、受信モジュール41が基地局により送信される非周期SRS活性化シグナルを受信した後、送信モジュール42が高層シグナル又はPDCCHシグナルで携帯される非周期SRS持続時間配置情報に基づいて、若干のサブフレーム後、一つ目の配置サブフレームで非周期SRSを送信するか、又は一つの時間領域資源配置周期内の全ての配置サブフレームで非周期SRSを送信するかを確定すること。
【００４３】
これに対して、本発明の実施形態も一種の基地局を提供し、その構造図は図5で示すとおりである。
高層シグナル又はPDCCHシグナルに基づいて端末装置に非周期SRSの時間領域配置パラメータ及び非周期SRS活性化シグナルを送信する送信モジュール51。
この中で、非周期SRSの時間領域配置パラメータの内容は前記説明と類似するので、ここで繰り返して説明しない。
送信モジュール51が前記端末装置に非周期SRS活性化シグナルを送信した後、端末装置により前記非周期SRSの時間領域配置パラメータに基づいて選択される時間領域資源で送信される非周期SRSを受けることに応用される受信モジュール52。
【００４４】
前記端末装置の発明方式に対して、本モジュールの受信方式も下記の二種の状況に分ける。
送信モジュール51が端末装置に非周期SRS活性化シグナルを送信した後、受信モジュール52が、端末装置により非周期SRS配置パラメータに基づいて、直接若干のサブフレーム後の一つの時間領域資源配置周期内の全ての配置サブフレームで送信される非周期SRSを受信すること、又は、
送信モジュール51が端末装置に非周期SRS活性化シグナルを送信した後、受信モジュール52が、端末装置により高層シグナル又はPDCCHシグナルで携帯される非周期SRS持続時間配置情報に基づいて、若干のサブフレーム後、一つ目の配置サブフレームで送信される非周期SR又は一つの時間領域資源配置周期内の全ての配置サブフレームで送信される非周期SRSを受信すること。
【００４５】
前記の実施形態の説明を通じて、本技術分野の技術者は、ハードウェアの方式を運用したり、ソフトウェアの上に必要な一般的ハードウェアのプラットフォームを加えたりする方式で本発明の実施形態を実現することができることを明確に理解できる。このような理解に基づいて、本発明の技術方案をソフトウェア製品という形で表すことができ、当該ソフトウェア製品を永久性記憶媒体（CD-ROM、Uディスク又はポータブルハードディスク等）に記憶することもできて、若干の指令を含んで、一台のコンピューター設備（PC、サーバー又はネットワーク設備など）に本発明の各実施形態の前記方法を実行させる。
【００４６】
本分野の技術者は、添付図がただ一つの優先的な実施場面の略図だけで、添付図でのモジュール又はフローは必ず本発明の実施形態で必要なものではないと理解してもよい。
本分野の技術者が、次のように理解すれば良いが、即ち、実施場面での装置のモジュールが実施場面の説明によって実施場面の装置に分布してもいいし、それとも相応な変化を実施して本実施場面と異なる一つ又は幾つかの装置に分布しても良い。前記の実施場面のモジュールが一つのモジュールに合併されてもいいし、更に幾つかのモジュールに分解しても良い。
上述の本発明の実施形態のシリアルナンバーは説明の便利のためだけで、実施場面の優劣を表示しない。
以上公開されたものは本発明の幾つかの具体的な実施形態だけであり、本発明はこれに限らず、本技術分野の技術者が想定可能な変化は全部、本発明の保護範囲に属すべきである。
【００４７】
本出願は、2010年05月31日に中国特許局に提出され、出願番号が201010195422.0で、発明の名称が「非周期SRSの伝送方法と設備」の中国特許申請の優先権で、内容全体は引用により本出願に導入される。
（付記１）
端末装置が、基地局により高層シグナル又はPDCCHシグナルを通じて送信された非周期SRSの時間領域配置パラメータを受信することと、
前記端末装置が前記基地局により送信された非周期SRS活性化シグナルを受信した後、前記端末装置が前記非周期SRSの時間領域配置パラメータに基づいて、相応な時間領域資源を選択して前記基地局に非周期SRSを送信することと、
を含むことを特徴とする一種の非周期探知参考信号SRSの伝送方法。
（付記２）
前記非周期SRS配置パラメータが、具体的に、
非周期SRSの時間領域資源配置周期の配置情報、及び/又は、
非周期SRSのサブフレーム配置情報、
を含むことを特徴とする付記1記載の方法。
（付記３）
前記非周期SRSの時間領域資源配置周期の配置情報が、具体的に、
前記端末装置により予め設置した時間領域資源配置周期の配置情報を応用することを指示すること、又は、
前記端末装置により応用される時間領域資源配置周期の数値を指示する配置情報又は
サブフレーム配置情報と連合する配置情報、
を含むことを特徴とする付記2記載の方法。
（付記４）
前記非周期SRS的サブフレーム配置情報が、具体的に、
前記端末装置により応用されるサブフレーム資源の開始情報と持続長さ情報、又は、
一つ又は幾つかのサブフレームが前記端末装置の非周期SRS伝送に応用されるか否かを指示する情報、又は、
時間領域資源配置周期の配置情報と連合する配置情報、
を含むことを特徴とする付記2記載の方法。
（付記５）
前記端末装置が、前記非周期SRSの時間領域配置パラメータによって、相応な時間領域資源を選択して、前記基地局に非周期SRSを送信し、具体的には、
前記非周期SRS配置パラメータによって、直接に若干のサブフレーム後の一つの時間領域資源配置周期内の全ての配置サブフレームで非周期SRSを送信すること、又は、
高層シグナル又はPDCCHシグナルで携帯した非周期SRS持続時間配置情報に基づいて、若干のサブフレーム後、一つ目の配置サブフレームで非周期SRSを送信するか、又は一つの時間領域資源配置周期内の全ての配置サブフレームで非周期SRSを送信するかを確定すること、
を含むことを特徴とする付記1記載の方法。
（付記６）
基地局により高層シグナル又はPDCCHシグナルを通じて送信される非周期SRSの時間領域配置パラメータを受ける受信モジュールと、
前記受信モジュールが前記基地局により送信された非周期SRS活性化シグナルを受信した後、前記受信モジュールが受信した非周期SRSの時間領域配置パラメータに基づいて、相応な時間領域資源を選択し前記基地局に非周期SRSを送信する送信モジュールと、
を含むことを特徴とする一種の端末装置。
（付記７）
前記受信モジュールが受けた非周期SRS配置パラメータは具体的に非周期SRSの時間領域資源配置、周期的な配置情報、及び/又は、非周期SRSのサブフレーム配置情報を含むことであるが、
その中では、前記非周期SRSの時間領域資源配置周期の配置情報が、具体的に、
前記端末装置により予め設置される時間領域資源配置周期の配置情報を応用することを指示すること、又は、
前記端末装置により応用される時間領域資源配置周期の数値を指示する配置情報、又は、
サブフレーム配置情報と連合する配置情報、
を含むことであるが、
前記非周期SRSのサブフレーム配置情報が、具体的に、
前記端末装置により応用されるサブフレーム資源の開始情報と持続長さを指示する情報、又は、
一つ又は幾つかのサブフレームが前記端末装置に応用され非周期SRS伝送を行うか否かを指示する情報、又は、
時間領域資源配置周期の配置情報と連合する配置情報、
を含むことを特徴とする付記6記載の端末装置。
（付記８）
前記受信モジュールが前記基地局により送信された非周期SRS活性化シグナルを受けた後、前記送信モジュールが前記非周期SRS配置パラメータによって、直接若干のサブフレーム後の一つの時間領域資源配置周期内の全ての配置サブフレームで非周期SRSを送信すること、又は、
前記受信モジュールが前記基地局により送信された非周期SRS活性化シグナルを受けた後、前記送信モジュールが高層シグナル又はPDCCHシグナルで携帯した非周期SRS持続時間配置情報によって、若干のサブフレーム後、一つ目の配置サブフレームで非周期SRSを送信し、又は一つの時間領域資源配置周期内の全ての配置サブフレームで非周期SRSを送信するよう確定すること、
に応用することを特徴とする付記6記載の端末装置。
（付記９）
基地局が高層シグナル又はPDCCHシグナルを通じて端末装置に非周期SRSの時間領域配置
パラメータを送信することと、
前記基地局が前記端末装置に非周期SRS活性化シグナルを送信すると、前記基地局が、前記端末装置により前記非周期SRSの時間領域配置パラメータに基づいて選択される時間領域資源により送信する非周期SRSを受信することと、
を含むことを特徴とする一種の非周期SRSの伝送方法。
（付記１０）
前記非周期SRS配置パラメータが、具体的に、
非周期SRSの時間領域資源配置周期の配置情報、及び/又は、
非周期SRSのサブフレーム配置情報、
を含むことを特徴とする付記9記載の方法。
（付記１１）
前記非周期SRSの時間領域資源配置周期の配置情報が、具体的に、
前記端末装置により予め設置する時間領域資源配置周期の配置情報を応用することを指示すること、又は、
前記端末装置により応用される時間領域資源配置周期の数値を指示する配置情報、又は、
サブフレーム配置情報と連合する配置情報、
を含むことを特徴とする付記10記載の方法。
（付記１２）
前記非周期SRSのサブフレーム配置情報が、具体的に、
前記端末装置により応用されるサブフレーム資源の開始情報と持続長さ情報、又は、
一つ又は幾つかのサブフレームが前記端末装置の非周期SRS伝送に応用されるかどうかを指示する情報、又は、
時間領域資源配置周期の配置情報と連合する配置情報、
を含むことを特徴とする付記10記載の方法。
（付記１３）
前記基地局が前記端末装置に非周期SRS活性化シグナルを送信する場合、前記基地局が、前記端末装置により前記非周期SRSの時間領域配置パラメータに基づいて選択した時間領域資源によって送信された非周期SRSを受け、具体的には、
前記基地局が前記端末装置に非周期SRS活性化シグナルを送信した後、前記端末装置により前記非周期SRS配置パラメータに基づいて、直接若干のサブフレーム後の一つの時間領域資源配置周期内での全ての配置サブフレームで送信する非周期SRSを受けること、又は、
前記基地局が前記端末装置に非周期SRS活性化シグナルを送信した後、前記端末装置により高層シグナル又はPDCCHシグナルで携帯する非周期SRS持続時間配置情報に基づいて、若干のサブフレーム後、一つ目の配置サブフレームで送信する非周期SRS、又は一つの時間領域資源配置周期での全ての配置サブフレームで送信する非周期SRSを受けること、
を含むことを特徴とする付記9記載の方法。
（付記１４）
高層シグナル又はPDCCHシグナルを通じて端末装置に非周期SRSの時間領域配置パラメータを送信することに応用される送信モジュールと、
前記送信モジュールが前記端末装置に非周期SRS活性化シグナルを送信した後、前記端末装置により前記非周期SRSの時間領域配置パラメータに基づいて選択した時間領域資源により送信される非周期SRSを受けることに応用される受信モジュールと、
を含むことを特徴とする一種の基地局。
（付記１５）
前記送信モジュールが高層シグナル又はPDCCHシグナルを通じて端末装置に非周期SRS時間領域配置パラメータを送信し、具体的に、非周期SRSの時間領域資源配置周期の配置情報、及び/又は、非周期SRSサブフレーム配置情報を含むことであるが、
その中で、前記非周期SRSの時間領域資源配置周期の配置情報が、具体的に、
前記端末装置により予め設置した時間領域資源配置周期を指示する配置情報を応用することを指示すること、又は、
前記端末装置により応用される時間領域資源配置周期の数値を指示する配置情報、又は、
サブフレーム配置情報と連合する配置情報、
を含み、
前記非周期SRSのサブフレーム配置情報が、具体的には、
前記端末装置により応用されるサブフレーム資源の開始情報と持続長さ情報、又は、
一つ又は幾つかのサブフレームが前記端末装置に応用され非周期SRS伝送を行うかどうかを指示する情報、又は、
時間領域資源配置周期の配置情報と連合する配置情報、
を含むことを特徴とする付記14記載の基地局。
（付記１６）
前記受信モジュールが、具体的に、
前記受信モジュールが前記送信モジュールで前記端末装置に非周期SRS活性化シグナルを送信した後、前記端末装置により前記非周期SRS配置パラメータに基づいて、直接若干のサブフレーム後の一つの時間領域資源配置周期内の全ての配置サブフレームで送信する非周期SRSを受けること、又は、
前記受信モジュールが前記送信モジュールで前記端末装置に非周期SRS活性化シグナルを送信した後、前記端末装置により高層シグナル又はPDCCHシグナルで携帯する非周期SRS持続時間配置情報に基づいて、若干のサブフレーム後、一つ目の配置サブフレームで送信する非周期SRS、又は一つの時間領域資源配置周期内の全ての配置サブフレームで送信する非周期SRSを受けること、
を含むことを特徴とする付記15記載の基地局。
【図１】
0005563155.tif 000004
【図２】
0005563155.tif 000005
【図３】
0005563155.tif 000006
【図４】
0005563155.tif 000007
【図５】
0005563155.tif 000008